(57)【要約】【課題】煩わしい操作を必要とせずに、紛失・盗難時における他人による不正使用を防止することができる携帯電話機及び機能制限方法の提供。【解決手段】非接触型ＩＣカード機能などの個人情報の送信を伴う特定の機能を有する携帯電話機において、予め特定の機能の使用を希望する場所に対応するエリア情報を登録しておき、現在の場所近傍に設置された基地局からの情報に基づいて特定されるエリア情報と予め登録されたエリア情報とを比較し、登録外エリアから登録エリアに遷移した場合に特定の機能を使用可能な状態にし、登録エリアから登録外エリアに遷移した場合に特定の機能を使用できない状態にするなど、エリア情報に基づいて特定の機能の利用形態を制御する。これにより、ユーザがロック設定／ロック解除を操作する必要を無くし、セキュリティ性の維持と利便性の向上を図ることができる。【選択図】図３
2006303747.tif 000002
【特許請求の範囲】
【請求項１】
ユーザが指定した場所近傍に設置された基地局で特定されるエリア情報を記憶する記憶手段と、
現在の場所近傍に設置された基地局で特定されるエリア情報を監視し、該エリア情報が変化した場合に、現在の場所に対応するエリア情報と予め記憶されたエリア情報とを比較し、比較結果に基づいて、特定の機能の使用形態を制御する制御手段と、を少なくとも備えることを特徴とする携帯電話機。
【請求項２】
前記制御手段は、
前記現在の場所に対応するエリア情報と前記予め記憶されたエリア情報とが一致する場合に、前記特定の機能を使用可能に設定し、
前記現在の場所に対応するエリア情報と前記予め記憶されたエリア情報とが一致しない場合に、前記特定の機能を使用不可に設定することを特徴とする請求項１記載の携帯電話機。
【請求項３】
前記特定の機能は、電磁誘導又は電磁結合を利用して非接触で外部端末とデータ交信を行う非接触型ＩＣカード機能であることを特徴とする請求項１又は２に記載の携帯電話機。
【請求項４】
携帯電話機における特定の機能の制御方法であって、
ユーザが指定した場所近傍に設置された基地局で特定されるエリア情報を記憶する第１のステップと、
現在の場所近傍に設置された基地局で特定されるエリア情報を監視する第２のステップと、
現在の場所に対応するエリア情報が変化した場合に、前記現在の場所に対応するエリア情報と予め記憶されたエリア情報とを比較する第３のステップと、
比較結果に基づいて、前記特定の機能の使用形態を制御する第４のステップと、を少なくとも有することを特徴とする携帯電話機の機能制御方法。
【請求項５】
前記第４のステップでは、
前記現在の場所に対応するエリア情報と前記予め記憶されたエリア情報とが一致する場合に、前記特定の機能を使用可能に設定し、
前記現在の場所に対応するエリア情報と前記予め記憶されたエリア情報とが一致しない場合に、前記特定の機能を使用不可に設定することを特徴とする請求項４記載の携帯電話機の機能制御方法。
【請求項６】
前記特定の機能は、電磁誘導又は電磁結合を利用して非接触で外部端末とデータ交信を行う非接触型ＩＣカード機能であることを特徴とする請求項４又は５に記載の携帯電話機の機能制御方法。
【発明の詳細な説明】
【技術分野】
【０００１】
本発明は、携帯電話機及び機能制御方法に関し、特に、非接触型ＩＣカード機能を有する携帯電話機及び非接触型ＩＣカード機能の制御方法に関する。
【背景技術】
【０００２】
近年、電子決済が可能な携帯電話機が普及している。この携帯電話機には電磁誘導又は電磁結合を利用してリーダやリーダ／ライタなどの外部端末と非接触でデータ通信を行う機能（以下、非接触型ＩＣカード機能と呼ぶ。）が搭載されており、店舗や改札などに設けられた外部端末に対してＩＣに記憶されたユーザ情報などを送信することにより商品の代金や電車の運賃などの支払いを行うことができる。
【０００３】
このような非接触型ＩＣカード機能が搭載された携帯電話機では、携帯電話機を紛失した場合や携帯電話機が盗難された場合に、携帯電話機を拾った者や盗んだ者が不正に非接触型ＩＣカード機能を使用すると多大な損害が生じる可能性があることから、他人による不正使用を防止するための施策が必要である。
【０００４】
このような紛失・盗難時における他人による不正使用を防止する方法として、携帯電話機に予め暗証番号を登録しておき、非接触型ＩＣカード機能の利用時に暗証番号を入力し、入力した暗証番号と登録された暗証番号とが一致した場合にのみ、非接触型ＩＣカード機能を利用可能にする方法がある。また、下記特許文献１に示すように、予め暗証番号を登録しておき、非接触型ＩＣカード機能の利用時に暗証番号を入力し、入力した暗証番号と登録された暗証番号とが一致した場合に、所定の時間、非接触型ＩＣカード機能の使用不能状態を解除する方法もある。
【０００５】
【特許文献１】特開２００３−０１６３９８号公報（第３−６頁、第１図）
【発明の開示】
【発明が解決しようとする課題】
【０００６】
このように、入力した暗証番号と登録された暗証番号とが一致するか否かに基づいて非接触型ＩＣカード機能の使用可能／使用不可を制御することによって、携帯端末機の紛失・盗難時における他人による不正使用を防止することが可能であるが、この方法では、ユーザ自身が、非接触型ＩＣカード機能が使用できないようにする操作（ロック設定）と、非接触型ＩＣカード機能が使用できるようにする操作（ロック解除）とを適宜行わなければならないため、操作が煩わしいという問題があった。
【０００７】
また、このような問題は非接触型ＩＣカード機能に限らず、ユーザ情報などの個人情報の送信を伴う機能全般に対して同様に生じ、更に、このような問題は携帯電話機に限らず、ノート型パソコンやＰＤＡ（Personal Digital Assistance）などの携帯端末機器全般に対して同様に生じる。
【０００８】
本発明は、上記問題点に鑑みてなされたものであって、その主たる目的は、煩わしい操作を必要とせずに、紛失・盗難時における他人による不正使用を防止することができる携帯電話機及び機能制御方法を提供することにある。
【課題を解決するための手段】
【０００９】
上記目的を達成するため、本発明の携帯電話機は、ユーザが指定した場所近傍に設置された基地局で特定されるエリア情報を記憶する記憶手段と、現在の場所近傍に設置された基地局で特定されるエリア情報を監視し、該エリア情報が変化した場合に、現在の場所に対応するエリア情報と予め記憶されたエリア情報とを比較し、比較結果に基づいて、特定の機能の使用形態を制御する制御手段と、を少なくとも備えるものである。
【００１０】
本発明においては、前記制御手段は、前記現在の場所に対応するエリア情報と前記予め記憶されたエリア情報とが一致する場合に、前記特定の機能を使用可能に設定し、前記現在の場所に対応するエリア情報と前記予め記憶されたエリア情報とが一致しない場合に、前記特定の機能を使用不可に設定する構成とすることができる。
【００１１】
また、本発明の方法は、携帯電話機における特定の機能の制御方法であって、ユーザが指定した場所近傍に設置された基地局で特定されるエリア情報を記憶する第１のステップと、現在の場所近傍に設置された基地局で特定されるエリア情報を監視する第２のステップと、現在の場所に対応するエリア情報が変化した場合に、前記現在の場所に対応するエリア情報と予め記憶されたエリア情報とを比較する第３のステップと、比較結果に基づいて、前記特定の機能の使用形態を制御する第４のステップと、を少なくとも有するものである。
【００１２】
本発明においては、前記第４のステップでは、前記現在の場所に対応するエリア情報と前記予め記憶されたエリア情報とが一致する場合に、前記特定の機能を使用可能に設定し、前記現在の場所に対応するエリア情報と前記予め記憶されたエリア情報とが一致しない場合に、前記特定の機能を使用不可に設定する構成とすることができる。
【００１３】
また、本発明においては、前記特定の機能は、電磁誘導又は電磁結合を利用して非接触で外部端末とデータ交信を行う非接触型ＩＣカード機能とすることが好ましい。
【００１４】
このように、本発明の構成によれば、現在の場所近傍に設置された基地局で特定されるエリア情報と予め登録されたエリア情報との比較結果に基づいて、非接触型ＩＣカード機能などの特定の機能の使用可能／使用不可の設定が自動的に行われるため、煩わしい操作を必要とせずに、紛失・盗難時における他人による不正使用を防止することができる。
【発明の効果】
【００１５】
本発明の携帯電話機及び機能制御方法によれば、暗証番号の入力などの煩わしい操作をしなくても、紛失・盗難時における他人による不正使用を防止することができ、ユーザの利便性を向上させることができる。
【００１６】
その理由は、現在の場所近傍に設置された基地局で特定されるエリア情報と、ユーザによって予め登録されたエリア情報とが比較され、現在の場所に対応するエリア情報と予め登録されたエリア情報とが一致する場合に非接触型ＩＣカード機能などの特定の機能のロックが自動的に解除され、現在の場所に対応するエリア情報と予め登録されたエリア情報とが一致しない場合に特定の機能が自動的にロックされるからである。
【発明を実施するための最良の形態】
【００１７】
従来技術で示したように、非接触型ＩＣカード機能を搭載した携帯端末機において紛失・盗難時における他人による不正使用を防止するために、従来は、暗証番号の入力などのユーザ操作によってロック設定／ロック解除が行われていた。しかしながら、この方法では非接触型ＩＣカード機能を使用する度にユーザ操作が必要であり、特に非接触型ＩＣカード機能を頻繁に使用するユーザにとって操作が煩わしいという問題があった。
【００１８】
一方、非接触型ＩＣカード機能を特定の場所（例えば、通勤で使用する駅など）で使用するユーザの場合、非接触型ＩＣカード機能を使用するエリアを限定しても支障はなく、携帯電話機を紛失した場合や携帯電話機が盗難された場合でも、特定のエリアでのみ非接触型ＩＣカード機能を使用できるようにしておけば不正使用による損害を十分に抑制することは可能である。
【００１９】
そこで、本発明では、非接触型ＩＣカード機能などの個人情報の送信を伴う特定の機能を有する携帯電話機に、予め特定の機能の使用を希望する場所近傍に設置された基地局で特定されるエリア情報を登録しておき、現在の場所近傍に設置された基地局で特定されると予め登録したエリア情報とを比較し、登録外エリアから登録エリアに遷移した場合に特定の機能を使用可能な状態にし、登録エリアから登録外エリアに遷移した場合に特定の機能を使用できない状態にすることによって、ユーザがロック設定／ロック解除を操作する必要を無くし、セキュリティ性の維持と利便性の向上を図っている。
【実施例１】
【００２０】
上記した本発明の実施の形態についてさらに詳細に説明すべく、本発明の第１の実施例に係る携帯端末機及び機能制御方法について、図１乃至図４を参照して説明する。図１は、特定の機能の使用可能／使用不可を設定するエリアの構成を模式的に示す図であり、図２は、本実施例の携帯電話機の構成を示すブロック図である。また、図３は、本実施例の携帯電話機におけるエリアの登録手順を示すフローチャート図であり、図４は、本実施例の携帯電話機を用いた特定の機能の制御手順を示すフローチャート図である。
【００２１】
図２に示すように、本実施例の携帯電話機は、アンテナ２０１と無線部２０２と制御部２０３と音声処理部２０６とレシーバ２０７とマイク２０８とＬＣＤ表示部２０９とバックライト部２１０と操作部２１１と非接触型ＩＣ部２１２とアンテナ２１３などで構成され、制御部２０３は、ＣＰＵ２０４とメモリ２０５と周辺ブロックの制御回路などを有している。
【００２２】
上記携帯電話機は、制御部２０３の制御により無線部２０２、アンテナ２０１を介して基地局と通信を行う。無線部２０２は、アンテナ２０１にて受信した信号を、受信したい信号周波数を選択し周波数変換を行い増幅し、復調して、受信データを制御部２０３に出力する。制御部２０３は、受信データを処理して音声信号を音声処理部２０６に出力し、音声処理部２０６は、音声信号をアナログ信号に変えてレシーバ２０７より音声を出力する。また、マイク２０８より入力された音声は、音声処理部２０６にて、デジタル信号に変換され、制御部２０３は、その信号を送信データに変換し、無線部２０２にて、変調し規定の周波数の搬送波として増幅し、アンテナ２０１より送信を行う。また、制御部２０３は無線部２０２、アンテナ２０１を介して定期的に基地局と通信を行い、基地局から送信される情報を利用して携帯電話機の場所を特定する。
【００２３】
また、制御部２０３は、操作部２１１を監視し、ユーザの操作を判断し操作に基づく処理を行う。ＬＣＤ表示部２０９は、制御部２０３の制御により各種表示を行い、バックライト部２１０は、制御部２０３の制御により、設定された輝度値にて点灯を行う。制御部２０３は、ＬＣＤ表示部２０９の表示ＯＮ／ＯＦＦ等に合わせて、バックライト部２１０の点灯／消灯の制御を行う。
【００２４】
また、非接触型ＩＣ部２１２はアンテナ２１３を介して、電磁誘導又は電磁結合を利用してリーダやリーダ／ライタなどの外部端末２１４とデータ通信を行う。図２の状態は、非接触型ＩＣカード機能のロックが解除された状態を示している。また、非接触型ＩＣカード機能がロック設定時、制御部２０３は、非接触型ＩＣ部２１２を制御し、外部端末２１４との通信を遮断する。
【００２５】
なお、図２の構成は例示であり、携帯電話機の基本的な構成要素に、ユーザ情報などの個人情報の送信を伴う非接触型ＩＣカード機能などの特定の機能を実現する手段（非接触ＩＣ部２１２など）を備えていれば良い。また、図２では、表示手段としてＬＣＤ表示部２０９とバックライト部２１０を設けたが、これらに代えて有機ＥＬ表示部を設けてもよいし、図２の構成に加えて、カメラ機能や音楽再生機能などの他の機能を実現する手段を設けてもよい。
【００２６】
また、図１は、複数の基地局エリア１０１で構成される携帯電話通信網のエリア構成を模式的に示した図であり、中央のエリアＢ（図の網掛けのエリア）が非接触型ＩＣカード機能などの特定の機能のロックを解除するエリアである。図１の構成において、携帯電話機がエリアＡからエリアＢに移動したとき、登録外のエリアＡから登録エリアＢに移動することになるため、特定の機能を使用可能な状態に変更（ロック解除）する。また、エリアＢからエリアＣに移動したとき、登録エリアＢから登録外エリアＣに移動することになるため、特定の機能を使用できない状態に変更（ロック設定）する。
【００２７】
これにより、特定の場所で非接触型ＩＣカード機能などの特定の機能を使用することが明確な場合、ユーザがロック設定／ロック解除を操作しなくても、登録外エリアでは特定の機能を使用できなくすることができるため、セキュリティ性を高めることができる。
【００２８】
なお、図１は例示であり、各々のエリアのサイズや形状は任意である。また、図１では各々のエリアが相重ならないように記載しているが、各々のエリアが部分的に重なっていてもよいし、基地局でカバーされないエリアが存在していてもよい。また、上記説明では、基地局の配置に基づいてエリアを分割したが、例えば、携帯電話機にＧＰＳ（Global Positioning System）機能を備える場合は、登録した場所を中心にして所定の範囲内（例えば、半径１００ｍ以内）を特定の機能が使用できるエリアに設定し、それ以外の領域を特定の機能が使用できないエリアに設定することもできる。
【００２９】
次に、本実施例の携帯電話機を用いて非接触型ＩＣカード機能を制御する方法について、図３及び図４のフローチャートを用いて詳細に説明する。
【００３０】
図３は、ユーザが非接触型ＩＣカード機能を使用する場所のエリア情報を登録する手順を示すフローチャート図である。
【００３１】
まず、非接触型ＩＣカード機能の使用を希望する場所で所定のメニューを起動するとＬＣＤ表示部２０９に非接触型ＩＣカード機能の使用エリアを登録するための所定の登録画面が表示され、操作部２１１を用いて使用エリアの登録を指示すると（Ｓ３０１）、ＬＣＤ表示部２０９に暗証番号を入力するための所定の入力画面が表示される。そして操作部２１１を用いて暗証番号を入力すると（Ｓ３０２）、制御部２０３は入力された暗証番号とメモリ２０５に予め記憶された暗証番号とを比較して暗証番号の認証を行う（Ｓ３０３）。そして、入力された暗証番号と予め記憶された暗証番号とが一致したら、制御部２０３は、無線部２０２及びアンテナ２０１を介して現在の場所近傍に設置された基地局と通信し、該基地局から送信される情報で特定される、該基地局が通信可能なエリアに関する情報（以下、エリア情報）を、非接触型ＩＣカード機能を使用する場所に対応するエリア情報として登録してメモリ２０５に格納する（Ｓ３０４）。
【００３２】
なお、エリア情報の構成は特に限定されず、緯度や経度としてもよいし、市町村の名称や番地などとしてもよい。また、エリア情報の特定方法も特に限定されず、基地局から送信される情報にエリア情報が含まれる場合は送信される情報からエリア情報を抽出すればよいし、また、基地局から該基地局の識別情報が送信される場合は、メモリ２０５に基地局とエリア情報との対応関係を規定するテーブルを記憶しておき、そのテーブルを参照してエリア情報を特定すればよい。
【００３３】
図４は、エリア情報によって、非接触型ＩＣカード機能のロック設定／ロック解除を行う手順を示すフローチャート図である。
【００３４】
制御部２０３は、現在の場所近傍に設置された基地局で特定されるエリア情報を監視し（Ｓ４０１）、現在の場所に対応するエリア情報が変化したら、制御部２０３はＳ３０４にて非接触型ＩＣカード機能を使用するエリア情報が登録済みであるかを判断し（Ｓ４０２）、登録済みの場合は、制御部２０３は現在の場所に対応するエリア情報とＳ３０４で登録したエリア情報とを比較する（Ｓ４０３）。そして、現在の場所に対応するエリア情報とＳ３０４で登録したエリア情報とが一致する場合、現在の場所は非接触型ＩＣカード機能の使用を許可するエリアであると判断し、Ｓ４０４で現在の非接触型ＩＣカード機能のロック状態を確認し、ロック設定状態であれば、ロックを解除する（Ｓ４０５）。また、現在の場所に対応するエリア情報とＳ３０４で登録したエリア情報とが不一致の場合は、現在の場所は非接触型ＩＣカード機能の使用を許可してないエリアであると判断し、Ｓ４０６で現在の非接触型ＩＣカード機能のロック状態を調べ、ロック解除状態であれば、ロック設定する（Ｓ４０７）。
【００３５】
このように、非接触型ＩＣカード機能などの特定の機能を使用する場所に対応するエリア情報をメモリ２０５に登録しておき、制御部２０３を用いて現在の場所に対応するエリア情報と登録したエリア情報と比較し、両者が一致する場合に現在の場所が特定の機能が使用可能なエリアと判断し、両者が一致しない場合に現在の場所が特定の機能が使用できないエリアと判断し、その判断結果に基づいて自動的のロック設定／ロック解除を行うため、煩わしい操作を行わなくても、紛失・盗難時における他人による不正使用を防止することができ、ユーザの利便性を向上させることができる。
【実施例２】
【００３６】
次に、本発明の第２の実施例に係る非接触型ＩＣカード機能を搭載した携帯端末機について、図５乃至図１０を参照して説明する。図５は、本実施例の携帯電話機を用いて登録されたエリアを示すテーブルの一例であり、図６は、本実施例の携帯電話機を用いた機能制御手順を示すフローチャート図である。また、図７及び図９は、登録されたエリアを示すテーブルの他の例を示す図であり、図８及び図１０は、そのエリアを模式的に示す図である。
【００３７】
前記した第１の実施例では、非接触型ＩＣカード機能などの特定の機能が利用可能なエリアを１つとしたが、当該機能が利用可能なエリアは複数でもよい。そこで本実施例では、Ｓ３０４でＮ個のエリア情報を登録する場合について示す。
【００３８】
図５は、Ｎ個のエリア情報をメモリ２０５に格納した場合の例を示しており、図６は、Ｎ個のエリア情報によって、非接触型ＩＣカード機能をロック設定／ロック解除する手順を示すフローチャート図である。
【００３９】
まず、第１の実施例と同様に、現在の場所近傍に設置された基地局で特定されるエリア情報を監視し（Ｓ６０１）、現在の場所に対応するエリア情報が変化したら、制御部２０３はＳ３０４にて非接触型ＩＣを使用するエリア情報が登録済みであるかを判断し（Ｓ６０２）、登録済みの場合は、ｉを１に設定した後（Ｓ６０３）、制御部２０３は現在の場所に対応するエリア情報とＳ３０４で登録したＮ個のエリア情報のうちｉ番目のエリア情報と比較する（Ｓ６０４）。そして、現在の場所に対応するエリア情報とＳ３０４で登録したエリア情報とが不一致の場合は、ｉに１を加え（Ｓ６０７）、ｉがＮ＋１以上であるかを判断し（Ｓ６０８）、Ｎ＋１未満であればＳ６０４、Ｓ６０７、Ｓ６０８の処理を繰り返して、登録したＮ個のエリア情報と現在の場所に対応するエリア情報が一致するまで比較する。
【００４０】
そして、現在の場所に対応するエリア情報とＳ３０４で登録したエリア情報とが一致する場合、現在の場所は非接触型ＩＣカード機能の使用を許可するエリアであると判断し、Ｓ６０５で現在の非接触型ＩＣカード機能のロック状態を確認し、ロック設定状態であれば、ロックを解除する（Ｓ６０６）。また、現在の場所に対応するエリア情報とＳ３０４で登録したＮ個のエリア情報の全てとが不一致の場合、現在の場所は非接触型ＩＣカード機能の使用を許可してないエリアであると判断し、Ｓ６０９で現在の非接触型ＩＣカード機能のロック状態を調べ、ロック解除状態であれば、ロック設定する（Ｓ６１０）。
【００４１】
このように、非接触型ＩＣカード機能などの特定の機能を使用する複数の場所のエリア情報をメモリ２０５に登録しておき、制御部２０３を用いて現在の場所のエリア情報と登録した全てのエリア情報とを比較し、現在の場所のエリア情報と登録したいずれかのエリア情報とが一致する場合、現在の場所は特定の機能が使用可能なエリアと判断し、現在の場所のエリア情報と登録した全てのエリア情報とが一致しない場合、現在の場所は特定の機能が使用できないエリアと判断し、その判断結果に基づいて自動的のロックの設定／ロック解除を行うため、第１の実施例と同様に、煩わしい操作を行わなくても、紛失・盗難時における他人による不正使用を防止することができ、ユーザの利便性を向上させることができる。
【００４２】
なお、上記実施例では、特定のエリアでは非接触型ＩＣカード機能などの特定の機能を使用できるようにし、特定のエリア外では特定の機能を使用できないようにしたが、予め登録したエリア外で特定の機能の使用を希望する場合も考えられることから、特定のエリア外で当該機能を動作させようとした場合に、ＬＣＤ表示部２０９に暗証番号を入力する所定の入力画面を表示し、入力した暗証番号が予め登録された暗証番号を一致する場合に、当該機能を使用可能にすることもできる。
【００４３】
また、上記実施例では、エリアに基づいて非接触ＩＣカード機能などの特定の機能の使用可／不可を制御したが、使用可能な状態を複数のレベルに分けて制御することもできる。例えば、図７及び図８に示すように、使用エリアを、特定の機能の全てが使用可能なエリアと、特定の機能の一部が使用可能なエリアなどに分類し、特定の機能の全てが使用可能なエリアでは制限なく特定の機能を使用できるようにし、特定の機能の一部が使用可能なエリアでは特定の機能の内の一部のみを使用できるようにする（例えば、運賃の支払いのみを可能とし店舗での支払いを不可としたり、所定の金額以下の支払いを可能にする）こともできる。
【００４４】
また、上記実施例では、１つの機能の使用可／不可を制御したが、特定の機能が複数ある場合に、複数の機能の使用可／不可を制御することもできる。例えば、図９及び図１０に示すように、使用エリアを、機能Ａが使用可能なエリアと、機能Ｂが使用可能なエリアなどに分類し、各々の機能に対してエリア情報を登録しておき、各々の機能の使用可能／使用不可を制御することもできる。
【産業上の利用可能性】
【００４５】
本発明は、携帯電話機に限らず、携帯して使用され、かつ、ロック設定／ロック解除によって使用を制御する必要にある機能を備える任意の機器に対して同様に適用することができる。
【図面の簡単な説明】
【００４６】
【図１】本発明の第１の実施例に係る携帯電話機の特定の機能の使用可／不可を規定するエリアの構成例を模式的に示す図である。
【図２】本発明の第１の実施例に係る携帯電話機の構成を示すブロック図である。
【図３】本発明の第１の実施例に係る携帯電話機におけるエリアの登録手順を示すフローチャート図である。
【図４】本発明の第１の実施例に係る携帯電話機を用いた機能制御手順を示すフローチャート図である。
【図５】本発明の第２の実施例に係る携帯電話機に登録されたエリア情報の例を示す図である。
【図６】本発明の第２の実施例に係る携帯電話機を用いた機能制御手順を示すフローチャート図である。
【図７】本発明の第２の実施例に係る携帯電話機に登録されたエリア情報の他の例を示す図である。
【図８】本発明の第２の実施例に係る携帯電話機の特定の機能使用可能状態を規定するエリアの構成例を模式的に示す図である。
【図９】本発明の第２の実施例に係る携帯電話機に登録されたエリア情報の他の例を示す図である。
【図１０】本発明の第２の実施例に係る携帯電話機の複数の機能の使用可／不可を規定するエリアの構成例を模式的に示す図である。
【符号の説明】
【００４７】
１０１  エリア
２０１  アンテナ
２０２  無線部
２０３  制御部
２０４  ＣＰＵ
２０５  メモリ
２０６  音声処理部
２０７  スピーカ
２０８  マイク
２０９  ＬＣＤ表示部
２１０  バックライト部
２１１  操作部
２１２  非接触型ＩＣ部
２１３  アンテナ
２１４  外部端末
【図１】
2006303747.tif 000003
【図２】
2006303747.tif 000004
【図３】
2006303747.tif 000005
【図４】
2006303747.tif 000006
【図５】
2006303747.tif 000007
【図６】
2006303747.tif 000008
【図７】
2006303747.tif 000009
【図８】
2006303747.tif 000010
【図９】
2006303747.tif 000011
【図１０】
2006303747.tif 000012